(57)【特許請求の範囲】
【請求項１】
回転自在に傾斜支持したドラムの内周壁に多数の掻き上げ羽根を周設したアスファルト舗装廃材再生用ドライヤにおいて、前記掻き上げ羽根を表面が滑りやすくて廃材の付着が発生しにくい円筒体にて構成し、該円筒体の長手方向をドラム長手方向とほぼ平行に、かつドラム内周壁との間に所定の隙間をもたせて、ドラム内周壁に立設した支持片に円筒体を人手でも回動自在となるように支持し、前記円筒体を少しずつ回転させながら円筒体の全周面に亘って付着した廃材を剥離除去できる構成としたことを特徴とするアスファルト舗装廃材再生用ドライヤ。
【請求項２】
請求項１記載のアスファルト舗装廃材再生用ドライヤにおいて、前記支持片に円筒体の内径よりも小径の短管をドラム長手方向とほぼ平行に固着し、該短管に対して円筒体の端部開口部を遊嵌させて円筒体を回動自在に支持するようにしたことを特徴とするアスファルト舗装廃材再生用ドライヤ。
【請求項３】
請求項１記載のアスファルト舗装廃材再生用ドライヤにおいて、前記支持片に円筒体の外径よりも大径の透孔を穿設し、該透孔に対して円筒体の端部を挿通させて円筒体を回動自在に支持するようにしたことを特徴とするアスファルト舗装廃材再生用ドライヤ。
【発明の詳細な説明】
【技術分野】
【０００１】
本発明は、道路工事等により発生するアスファルト舗装廃材を加熱再生するアスファルト舗装廃材再生用ドライヤに関する。
【背景技術】
【０００２】
アスファルト舗装廃材（以下「廃材」という）を加熱再生するドライヤは、回転自在に傾斜支持したドラムを有し、ドラム内周面に周設した多数の掻き上げ羽根によって廃材の掻き上げ・落下を繰り返しながらドラム内を転動流下させる間に、バーナより送り込む熱風と接触させて廃材を所定温度にまで加熱している。ドラム内にて廃材を加熱すると、廃材に付着するアスファルトの粘着性が増していくために、廃材がドラム内の掻き上げ羽根等に徐々に付着成長していき、ついには掻き上げ羽根の機能を損なうほどになることがある。このため、掻き上げ羽根の機能を回復させるために、作業員がドラム内に入って掻き上げ羽根に付着した廃材を剥離除去する作業を定期的に行う必要があるなど、維持管理面において厄介な問題を有していた。
【０００３】
上記問題に対して、例えば、特許文献１（特開２００５−１６１３９号）には、掻き上げ羽根を円筒体によって構成したものが開示されている。前記特許文献１によれば、円筒体より成る掻き上げ羽根は、羽根表面が曲面形状であるために、廃材との付着面積が小さくて廃材の付着力も弱く、従来の板状の掻き上げ羽根と比較すると付着しにくく、また、廃材が付着しても剥がれやすいものとなっている。
【先行技術文献】
【特許文献】
【０００４】
【特許文献１】特開２００５−１６１３９号公報
【発明の概要】
【発明が解決しようとする課題】
【０００５】
このように、上記のような円筒体で構成した掻き上げ羽根では、廃材の付着を極力抑えられるものの、掻き上げ羽根への付着を完全に無くせるものではない。したがって、掻き上げ羽根への廃材の付着防止効果に優れ、付着物の除去作業も簡単に行えるように改良することが常に望まれている。
【０００６】
本発明は上記の点に鑑み、廃材が掻き上げ羽根に付着しにくく、例え付着しても除去作業を効率よく行え、維持管理性の優れたアスファルト舗装廃材再生用ドライヤを提供することを課題とする。
【課題を解決するための手段】
【０００７】
上記の課題を解決するために、本発明に係る請求項１記載のアスファルト舗装廃材再生用ドライヤでは、回転自在に傾斜支持したドラムの内周壁に多数の掻き上げ羽根を周設したアスファルト舗装廃材再生用ドライヤにおいて、前記掻き上げ羽根を表面が滑りやすくて廃材の付着が発生しにくい円筒体にて構成し、該円筒体の長手方向をドラム長手方向とほぼ平行に、かつドラム内周壁との間に所定の隙間をもたせて、ドラム内周壁に立設した支持片に円筒体を人手でも回動自在となるように支持し、前記円筒体を少しずつ回転させながら円筒体の全周面に亘って付着した廃材を剥離除去できる構成としたことを特徴としている。
【０００８】
また、請求項２記載のアスファルト舗装廃材再生用ドライヤでは、前記支持片に円筒体の内径よりも小径の短管をドラム長手方向とほぼ平行に固着し、該短管に対して円筒体の端部開口部を遊嵌させて円筒体を回動自在に支持するようにしたことを特徴としている。
【０００９】
また、請求項３記載のアスファルト舗装廃材再生用ドライヤでは、前記支持片に円筒体の外径よりも大径の透孔を穿設し、該透孔に対して円筒体の端部を挿通させて円筒体を回動自在に支持するようにしたことを特徴としている。
【発明の効果】
【００１０】
本発明に係る請求項１記載のアスファルト舗装廃材再生用ドライヤによれば、回転自在に傾斜支持したドラムの内周壁に多数の掻き上げ羽根を周設したアスファルト舗装廃材再生用ドライヤにおいて、前記掻き上げ羽根を表面が滑りやすくて廃材の付着が発生しにくい円筒体にて構成し、該円筒体の長手方向をドラム長手方向とほぼ平行に、かつドラム内周壁との間に所定の隙間をもたせて、ドラム内周壁に立設した支持片に円筒体を人手でも回動自在となるように支持し、前記円筒体を少しずつ回転させながら円筒体の全周面に亘って付着した廃材を剥離除去できる構成としたので、作業員がドラム内に入って掻き上げ羽根である円筒体に付着した廃材の除去作業を行うときには、円筒体を手で少しずつ回動させながら、円筒体の全周面に付着する廃材をハンマー等で打撃して剥離除去でき、狭いドラム内においても作業姿勢を変えずに無理なく、かつ効率よく除去作業を行うことができる。また、掻き上げ羽根である円筒体を回動自在に支持することで、ドラム底部に滞留する廃材を円筒体によって掻き上げる際、更には円筒体によって上方に持ち上げられた廃材がこぼれ落ちる際に、廃材が円筒体の表面を擦ることで付着している廃材の一部を擦り取りながら、円筒体を少しずつ回動させるので、円筒体の全周面に亘って付着物の擦り取りが行われる。これによって、掻き上げ羽根に付着する廃材の成長を少しでも阻止できることが期待され、除去作業の頻度を減らせるなど維持管理性に優れたものとなる。
【００１１】
また、請求項２記載のアスファルト舗装廃材再生用ドライヤによれば、前記支持片に円筒体の内径よりも小径の短管をドラム長手方向とほぼ平行に固着し、該短管に対して円筒体の端部開口部を遊嵌させて円筒体を回動自在に支持するようにしたので、簡単な構成にて円筒体を回動自在に支持でき、かつ製作コストも低廉である。
【００１２】
また、請求項３記載のアスファルト舗装廃材再生用ドライヤによれば、前記支持片に円筒体の外径よりも大径の透孔を穿設し、該透孔に対して円筒体の端部を挿通させて円筒体を回動自在に支持するようにしたので、円筒体と支持片との接触面積が小さくて円筒体がより円滑に回動するために、円筒体の全周面に亘って付着する廃材がより効果的に擦り取られることが期待できる。
【図面の簡単な説明】
【００１３】
【図１】本発明に係るアスファルト舗装廃材再生用ドライヤの一実施例を示す一部切り欠き説明図である。
【図２】図１のＡ−Ａ断面図である。
【図３】掻き上げ羽根の説明図であって、（ａ）一部切り欠き正面図、（ｂ）断面図である。
【図４】別の実施例の図３に相当する図である。
【発明を実施するための形態】
【００１４】
本発明に係るアスファルト舗装廃材再生用ドライヤにあっては、ドラム内周壁に周設する掻き上げ羽根として、表面が滑りやすくて廃材の付着が発生しにくい円筒体にて構成する。そして、前記円筒体は、円筒体の長手方向をドラム長手方向とほぼ平行に、かつドラム内周壁との間に廃材を付着保持させにくい程度の所定の隙間をもたせて、ドラム内周壁に立設した支持片に人手でも回動自在となるように支持し、前記円筒体を少しずつ回転させながら円筒体の全周面に亘って付着した廃材を剥離除去できる構成とする。
【００１５】
なお、支持片による円筒体の支持構造としては、例えば、前記支持片に円筒体の内径よりも若干小径の短管を固着し、該短管に対して円筒体の端部開口部を遊嵌させて円筒体を回動自在に支持する。或いは、前記支持片に円筒体の外径よりも若干大径の透孔を穿設し、該透孔に対して円筒体の端部を挿通させて回動自在に支持する、など適宜の支持構造によって円筒体を回動自在としておく。
【００１６】
そして、前記構成のドラム内に廃材を供給して加熱すると、廃材に含まれるアスファルトが軟化して次第に付着性を有するものとなり、掻き上げ羽根である円筒体に付着しやすくなる。一方、ドラム底部に滞留する廃材を円筒体によって掻き上げる際、更には円筒体によって上方に持ち上げられた廃材がこぼれ落ちる際に、廃材が円筒体の表面を擦ることとなり、円筒体に付着している廃材の一部を擦り取る。このとき、円筒体は、廃材の動きによって少しずつ回動させられることとなり、廃材による円筒体表面の擦り位置が徐々に変わっていき、この繰り返しによって円筒体の全周面に亘って付着する廃材を擦り落とせる。
【００１７】
また、ドライヤを長期間運転していると、どうしても掻き上げ羽根には廃材が付着成長してしまうので、作業員がドラム内に入って掻き上げ羽根に付着した廃材の除去作業を行う必要が出てくる。このときには、作業員は、掻き上げ羽根の円筒体を手で少しずつ回動させながら、廃材が付着している箇所を作業のしやすい手前側に向けて、ハンマー等で打撃して円筒体に付着している廃材を剥離除去していく。このように、掻き上げ羽根の円筒体を手で回動させることができることによって、狭いドラム内においても作業姿勢を変えずに無理なく、かつ効率よく除去作業を行うことができる
【００１８】
このように、本発明に係るアスファルト舗装廃材再生用ドライヤによれば、掻き上げ羽根を回転自在に支持した円筒体にて構成することによって、掻き上げ羽根に付着成長した廃材の除去作業を行うときには、円筒体を手で少しずつ回転させることで、狭いドラム内で作業姿勢を変えずに円筒体の全周面に付着する廃材を無理なくハンマー等で打撃して剥離除去できる。また、ドラム内で廃材を円筒体によって掻き上げまたは落下させる際に、円筒体が少しずつ回動させられることで、円筒体の全周面に亘って付着する廃材を擦り落とすことが期待できる。
【実施例】
【００１９】
以下、本発明の一実施例を図面に基づいて説明する。
【００２０】
図中の１はアスファルト舗装廃材再生用のドライヤであって、内部に多数の掻き上げ羽根２を周設した円筒状のドラム３を機台４上に回転自在に傾斜支持し、駆動用モータ（図示せず）にて所定速度にて回転駆動させている。
【００２１】
前記ドラム３にはバーナ５を備え、該バーナ５を燃焼させてドラム３内に火炎を形成しながら熱風を供給する一方、ベルトコンベヤ６からドラム３内に廃材を供給し、掻き上げ羽根２によって廃材を掻き上げながらドラム３内を転動流下させる間に廃材を所定温度まで加熱するようにしている。
【００２２】
バーナ５側のドラム３の前半部には、掻き上げ羽根２を設けずに耐熱性の鋼材７を内張しており、ドラム３内に安定したバーナ火炎を形成する一方、バーナ火炎の高熱からドラム３の内壁面を保護するようにしている。
【００２３】
また、図２は図１のＡ−Ａ断面図であって、図面に示すように、ドラム３の後半部には、多数の掻き上げ羽根２を周設している。掻き上げ羽根２は、表面が滑りやすくて廃材が付着しにくいように、例えば、外径が約９０ｍｍ程度で、長さが約１７００〜１８００ｍｍ程度の鋼製の円筒体８より構成している。該円筒体８は、ドラム３長手方向とほぼ平行に配置し、その両端部をドラム３内周壁に所定間隔にて立設した支持片９に対して回動自在に支持している。また、前記円筒体８とドラム３内周壁との間には、廃材を付着保持させにくく、かつ円筒体８によって所定の掻き上げ機能を有するように、廃材の大きさや性状等を考慮して適宜幅、例えば約６０ｍｍ程度の隙間をもたせている。
【００２４】
前記円筒体８と支持片９との支持構造としては、例えば、図３の（ａ）、（ｂ）に示すように、ドラム３内周壁に立設した一対の支持片９に円筒体８の内径よりも若干小径の、例えば外径が約８０ｍｍ程度の短管１０をドラム３長手方向とほぼ平行に固着する一方、これら一対の短管１０に対して円筒体８の両端開口部を遊嵌させることで、円筒体８を回動自在に支持している。このとき、図３に示すように、前記短管１０の外周面のほぼ全面を円筒体８によって被覆することで、廃材が短管１０の外周面に付着しないようにしている。また、短管１０外周面と円筒体８内周面との間にはあまり大きな隙間間隔をもたせないようにすることで、細かな廃材が前記隙間に噛み込んで円筒体８の回動性が損なわれないようにすることが好ましい。
【００２５】
また、前記掻き上げ羽根２は、好ましくは、円筒体８を適宜幅、例えば約６０ｍｍ程度の隙間を設けて二本平行に配置することで、より多くの廃材をドラム３上位まで持ち上げて熱風との接触機会を高めてドライヤ１の加熱効率の向上を図っている。
【００２６】
そして、ドライヤ１のドラム３内に廃材を供給すると、掻き上げ羽根２によって廃材の掻き上げ、落下を繰り返しながらドラム３内を転動流下する間に、バーナ５からの熱風と接触して所定温度に加熱されていく。廃材は加熱されると、廃材に含まれるアスファルトが軟化して次第に粘着性を有するものとなり、掻き上げ羽根２の円筒体８等に徐々に付着していく。
【００２７】
このとき、ドラム３底部に滞留する廃材を円筒体８によって掻き上げる際、更には円筒体８によって上方に持ち上げられた廃材がこぼれ落ちる際に、廃材が円筒体８の表面を擦ることで付着している廃材の一部を擦り取ることとなる。なお、円筒体８は回動自在としているために、廃材の動きによって少しずつ回動させられることとなる。円筒体８が回動すると、廃材によって円筒体８の表面を擦る位置が徐々に変わっていくこととなり、この繰り返しによって円筒体８の全周面に亘って付着する廃材を擦り落とすこととなる。
【００２８】
また、廃材が円筒体８に付着成長して除去せざるを得ない状況となると、作業員はドラム３内に入って円筒体８に付着した廃材をハンマー等で打撃して除去作業を行う。このとき、作業員は円筒体８を手で少しずつ回転させながら、円筒体８の全周面に亘って打撃を行うことによって付着物を剥離除去する。このように、円筒体８を手で少しずつ回転させて除去作業を行うことで、狭いドラム３内で作業姿勢を変えずに円筒体８の全周面に付着する廃材を無理なくハンマー等で打撃することができ、効率よく除去作業が行える。
【００２９】
また、図４の（ａ）、（ｂ）は、円筒体８の支持構造の別の実施例を示すものであって、円筒体８を支持する支持片９には円筒体８の外径よりも若干大径の、例えば約１００ｍｍ径程度の円形の透孔１１を穿設し、この透孔１１に約９０ｍｍ径程度の円筒体８を挿通し、円筒体８端部の板体１２にて円筒体８の抜け止めを行う。このとき、図４に示すように、前記円筒体８を板状の支持片９にて支持すれば円筒体８との接触面積を少なくして円筒体８を回動しやすくでき、円筒体８の全周面に付着する廃材をより効率的に擦り落とせることが期待できる。
【００３０】
なお、前記実施例においては、掻き上げ羽根２の円筒体８を二本ずつ平行に配置するようにしたが、掻き上げ能力は低下するものの円筒体８を一本としたり、或いは掻き上げ能力をより向上させるために円筒体８を三本以上平行に配置するようにしてもよい。
【符号の説明】
【００３１】
１…アスファルト舗装廃材再生用加熱ドライヤ
２…掻き上げ羽根                      ３…ドラム
５…バーナ                            ８…円筒体
９…支持片                            １０…短管
【図１】
0005787401.tif 000002
【図２】
0005787401.tif 000003
【図３】
0005787401.tif 000004
【図４】
0005787401.tif 000005